(57)【要約】【課題】読取画像における画像劣化を抑制することが可能な画像読取技術を提供する。【解決手段】画像読取装置は、読取位置Ｐ１０よりも上流側に設けられ原稿ＰＡを案内するガイド部材３８と、裏面読取ユニット２０によって読み取られた読取画像に関する画像補正処理を実行する画像補正処理手段とを備える。原稿ＰＡの上流側端部（後端部）Ｐｕがガイド部材３８の下流側端３８ｄを通過する際には、原稿ＰＡの上流側端部Ｐｕがガイド部材３８の下流側端３８ｄから段差ＧＰを通過して透明部材２７へと移動した後に透明部材２７に接触しながら移動する。画像補正処理手段は、読取画像のうち、上流側端部Ｐｕが下流側端３８ｄを通過した後に読み取られた第１の部分画像に対しては、上流側端部Ｐｕが下流側端３８ｄを通過する前に読み取られた第２の部分画像に対する補正度合いとは異なる補正度合いで画像補正処理（明度補正等）を実行する。【選択図】図１２
2011160186.tif 000002
【特許請求の範囲】
【請求項１】
画像読取装置であって、
原稿を搬送する搬送手段と、
前記搬送手段により搬送される前記原稿を所定の読取位置において光学的に読み取る読取手段と、
前記原稿の搬送経路と前記読取手段の受光センサとの間に設けられる透明部材と、
前記読取手段によって読み取られた読取画像に関する画像補正処理を実行する画像補正処理手段と、
前記原稿の搬送方向において前記所定の読取位置よりも上流側に設けられ、前記原稿を案内するガイド部材と、
を備え、
前記ガイド部材は、前記ガイド部材のガイド面と前記透明部材との間に段差が形成された状態で、前記読取手段に近接して配置され、
前記原稿の上流側端部が前記ガイド部材の下流側端を通過する際には、前記原稿の上流側端部が前記ガイド部材の下流側端から前記段差を通過して前記透明部材へと移動した後に前記透明部材に接触しながら移動し、
前記読取画像は、前記原稿の上流側端部が前記ガイド部材の下流側端を通過した後に前記読取手段により読み取られた第１の部分画像と、前記原稿の上流側端部が前記前記ガイド部材の下流側端を通過する前に前記読取手段により読み取られた第２の部分画像とを有し、
前記画像補正処理手段は、前記第１の部分画像に対しては、前記第２の部分画像に対する補正度合いとは異なる補正度合いで前記画像補正処理を実行することを特徴とする画像読取装置。
【請求項２】
請求項１に記載の画像読取装置において、
前記画像補正処理手段は、前記第１の部分画像内の各部分に対する補正度合いを、当該各部分に関する前記原稿の上流側端からの距離に応じて変更することを特徴とする画像読取装置。
【請求項３】
請求項２に記載の画像読取装置において、
前記画像補正処理手段は、前記第１の部分画像内の各部分に対する補正度合いを、前記第１の部分画像内の前記各部分に関する前記原稿の上流側端からの距離が減少するにつれて、増大させることを特徴とする画像読取装置。
【請求項４】
請求項１ないし請求項３のいずれかに記載の画像読取装置において、
前記画像補正処理手段は、前記第１の部分画像に対する補正度合いを、前記原稿の紙種に応じて変更することを特徴とする画像読取装置。
【請求項５】
請求項４に記載の画像読取装置において、
前記画像補正処理手段は、比較的薄い原稿の前記第１の部分画像に対する補正度合いを、比較的厚い原稿の前記第１の部分画像に対する補正度合いよりも大きく設定することを特徴とする画像読取装置。
【請求項６】
請求項１に記載の画像読取装置において、
前記画像補正処理手段は、前記第１の部分画像内の各部分に対する補正度合いを当該各部分に関する前記原稿の上流側端からの距離に応じて変更した補正曲線に基づいて、前記画像補正処理を実行することを特徴とする画像読取装置。
【請求項７】
請求項１ないし請求項６のいずれかに記載の画像読取装置において、
前記画像補正処理は、前記読取画像の明度を抑制する明度抑制処理を含むことを特徴とする画像読取装置。
【請求項８】
請求項１ないし請求項７のいずれかに記載の画像読取装置において、
前記画像補正処理は、前記読取画像に関するエッジ強調処理を含むことを特徴とする画像読取装置。
【請求項９】
請求項１に記載の画像読取装置において、
前記読取画像における前記第１の部分画像内の下地部分の明度を取得する算出手段、
をさらに備え、
前記画像補正処理は、前記第１の部分画像の明度を抑制する明度抑制処理を含み、
前記画像補正処理手段は、前記算出手段により算出された前記下地部分の明度に応じて前記明度抑制処理を実行することを特徴とする画像読取装置。
【請求項１０】
請求項９に記載の画像読取装置において、
前記算出手段は、前記読取画像における下地部分の明度を搬送方向における各微小区域ごとに取得し、
前記画像補正処理手段は、前記第１の部分画像内の前記各微小区域に対し、前記算出手段により各微小区域ごとに算出された明度に応じて、前記明度調整処理を実行することを特徴とする画像読取装置。
【請求項１１】
請求項１ないし請求項１０のいずれかに記載の画像読取装置において、
前記原稿の上流側端部を用いたゴミ掻き取り動作を実行するか否かを切り換える動作制御手段、
をさらに備え、
前記ガイド部材は、原稿搬送方向に沿って第１の位置と第２の位置との相互間を移動可能に設けられ、
前記第１の位置は、前記ガイド部材が前記所定の読取位置を覆うことなく前記ガイド部材の下流側端が前記所定の読取位置に接近する位置であり、
前記第２の位置は、前記ガイド部材が前記第１の位置よりも上流側に移動した位置であり、
前記動作制御手段は、前記原稿の坪量が所定値よりも小さいときには、前記ガイド部材を前記第１の位置に配置して、前記原稿の上流側端部を用いたゴミ掻き取り動作を実行しないことを特徴とする画像読取装置。
【請求項１２】
画像読取装置であって、
原稿を搬送する搬送手段と、
前記搬送手段により搬送される前記原稿を所定の読取位置において光学的に読み取る読取手段と、
前記原稿の搬送経路と前記読取手段の受光センサとの間に設けられる透明部材と、
前記読取手段によって読み取られた読取画像に関する画像補正処理を実行する画像補正処理手段と、
前記原稿の搬送方向において前記所定の読取位置よりも上流側に設けられ、前記原稿を案内するガイド部材と、
を備え、
前記ガイド部材は、前記ガイド部材のガイド面と前記透明部材との間に段差が形成された状態で、前記読取手段に近接して配置され、
前記原稿の上流側端部が前記ガイド部材の下流側端を通過する際には、前記原稿の上流側端部が前記ガイド部材の下流側端から前記段差を通過して前記透明部材へと移動した後に前記透明部材に接触しながら移動し、
前記読取画像は、前記原稿の上流側端部が前記ガイド部材の下流側端を通過した後に前記読取手段により読み取られた第１の部分画像と、前記原稿の上流側端部が前記前記ガイド部材の下流側端を通過する前に前記読取手段により読み取られた第２の部分画像とを有し、
前記画像補正処理手段は、前記第１の部分画像に対しては、前記第２の部分画像とは異なる種類の画像補正処理を施すことを特徴とする画像読取装置。
【発明の詳細な説明】
【技術分野】
【０００１】
本発明は、原稿上の画像を読み取る画像読取装置（スキャナ装置等）に関する。
【背景技術】
【０００２】
画像読取装置においては、シート状の原稿を所定方向に搬送しつつ、直線状（１次元状）の光学式読取センサ（たとえば、ＣＩＳ：Contact Image Sensor）によって当該原稿に関する直線状の画像を所定の固定位置で連続的に読み取ることによって、当該原稿の読取画像（２次元画像）を得るものが存在する。
【０００３】
このような装置においては、画像の読取位置は常に同じ位置（固定位置）であるため、当該固定位置に付着したゴミなどの異物に起因して筋状の画像ノイズが発生しやすいという問題がある。
【０００４】
そこで、このような問題を解決する技術として、画像の読取位置近傍のゴミを掻き取る技術が存在する（例えば、特許文献１参照）。当該特許文献１には、シートスルー方式の画像読取装置が記載されている。当該装置においては、読取位置（固定位置）の搬送方向上流側にガイドシートが設けられている。原稿の搬送に伴って原稿の後端がガイドシートの端部を通過すると、当該原稿の後端が当該ガイドシートの段差から落下し、当該原稿の後端の近傍部分が当該読取位置近傍に接触しつつ搬送されて当該読取位置のゴミ等を掻き取っていく。
【先行技術文献】
【特許文献】
【０００５】
【特許文献１】特開２００８−１９９３０１号公報
【発明の概要】
【発明が解決しようとする課題】
【０００６】
しかしながら、特許文献１に記載の技術においては、原稿画像の後端部がガイドシートの端部を通過した後においては、当該通過前に比べて、原稿と読取センサとの距離が小さくなる。そのため、後端部近傍部分において画像がぼける、或いは後端部近傍部分の画像の明度が大きくなり過ぎる、などの問題が生じることがある。すなわち、スキャン画像の後端部において画像劣化が生じ得る。特に、読取センサとしてＣＩＳを用いる場合には、当該ＣＩＳの焦点深度が浅いことに起因して、上述の画像劣化が非常に生じやすい。
【０００７】
そこで、この発明は、読取画像における画像劣化を抑制することが可能な画像読取技術を提供することを課題とする。
【課題を解決するための手段】
【０００８】
上記課題を解決すべく、請求項１の発明は、画像読取装置であって、原稿を搬送する搬送手段と、前記搬送手段により搬送される前記原稿を所定の読取位置において光学的に読み取る読取手段と、前記原稿の搬送経路と前記読取手段の受光センサとの間に設けられる透明部材と、前記読取手段によって読み取られた読取画像に関する画像補正処理を実行する画像補正処理手段と、前記原稿の搬送方向において前記所定の読取位置よりも上流側に設けられ、前記原稿を案内するガイド部材とを備え、前記ガイド部材は、前記ガイド部材のガイド面と前記透明部材との間に段差が形成された状態で、前記読取手段に近接して配置され、前記原稿の上流側端部が前記ガイド部材の下流側端を通過する際には、前記原稿の上流側端部が前記ガイド部材の下流側端から前記段差を通過して前記透明部材へと移動した後に前記透明部材に接触しながら移動し、前記読取画像は、前記原稿の上流側端部が前記ガイド部材の下流側端を通過した後に前記読取手段により読み取られた第１の部分画像と、前記原稿の上流側端部が前記前記ガイド部材の下流側端を通過する前に前記読取手段により読み取られた第２の部分画像とを有し、前記画像補正処理手段は、前記第１の部分画像に対しては、前記第２の部分画像に対する補正度合いとは異なる補正度合いで前記画像補正処理を実行することを特徴とする。
【０００９】
請求項２の発明は、請求項１の発明に係る画像読取装置において、前記画像補正処理手段は、前記第１の部分画像内の各部分に対する補正度合いを、当該各部分に関する前記原稿の上流側端からの距離に応じて変更することを特徴とする。
【００１０】
請求項３の発明は、請求項２の発明に係る画像読取装置において、前記画像補正処理手段は、前記第１の部分画像内の各部分に対する補正度合いを、前記第１の部分画像内の前記各部分に関する前記原稿の上流側端からの距離が減少するにつれて、増大させることを特徴とする。
【００１１】
請求項４の発明は、請求項１ないし請求項３のいずれかに記載の画像読取装置において、前記画像補正処理手段は、前記第１の部分画像に対する補正度合いを、前記原稿の紙種に応じて変更することを特徴とする。
【００１２】
請求項５の発明は、請求項４の発明に係る画像読取装置において、前記画像補正処理手段は、比較的薄い原稿の前記第１の部分画像に対する補正度合いを、比較的厚い原稿の前記第１の部分画像に対する補正度合いよりも大きく設定することを特徴とする。
【００１３】
請求項６の発明は、請求項１の発明に係る画像読取装置において、前記画像補正処理手段は、前記第１の部分画像内の各部分に対する補正度合いを当該各部分に関する前記原稿の上流側端からの距離に応じて変更した補正曲線に基づいて、前記画像補正処理を実行することを特徴とする。
【００１４】
請求項７の発明は、請求項１ないし請求項６のいずれかの発明に係る画像読取装置において、前記画像補正処理は、前記読取画像の明度を抑制する明度抑制処理を含むことを特徴とする。
【００１５】
請求項８の発明は、請求項１ないし請求項７のいずれかの発明に係る画像読取装置において、前記画像補正処理は、前記読取画像に関するエッジ強調処理を含むことを特徴とする。
【００１６】
請求項９の発明は、請求項１の発明に係る画像読取装置において、前記読取画像における前記第１の部分画像内の下地部分の明度を取得する算出手段、をさらに備え、前記画像補正処理は、前記第１の部分画像の明度を抑制する明度抑制処理を含み、前記画像補正処理手段は、前記算出手段により算出された前記下地部分の明度に応じて前記明度抑制処理を実行することを特徴とする。
【００１７】
請求項１０の発明は、請求項９の発明に係る画像読取装置において、前記算出手段は、前記読取画像における下地部分の明度を搬送方向における各微小区域ごとに取得し、前記画像補正処理手段は、前記第１の部分画像内の前記各微小区域に対し、前記算出手段により各微小区域ごとに算出された明度に応じて、前記明度調整処理を実行することを特徴とする。
【００１８】
請求項１１の発明は、請求項１ないし請求項１０のいずれかに記載の画像読取装置において、前記原稿の上流側端部を用いたゴミ掻き取り動作を実行するか否かを切り換える動作制御手段、をさらに備え、前記ガイド部材は、原稿搬送方向に沿って第１の位置と第２の位置との相互間を移動可能に設けられ、前記第１の位置は、前記ガイド部材が前記所定の読取位置を覆うことなく前記ガイド部材の下流側端が前記所定の読取位置に接近する位置であり、前記第２の位置は、前記ガイド部材が前記第１の位置よりも上流側に移動した位置であり、前記動作制御手段は、前記原稿の坪量が所定値よりも小さいときには、前記ガイド部材を前記第１の位置に配置して、前記原稿の上流側端部を用いたゴミ掻き取り動作を実行しないことを特徴とする。
【００１９】
請求項１２の発明は、画像読取装置であって、原稿を搬送する搬送手段と、前記搬送手段により搬送される前記原稿を所定の読取位置において光学的に読み取る読取手段と、前記原稿の搬送経路と前記読取手段の受光センサとの間に設けられる透明部材と、前記読取手段によって読み取られた読取画像に関する画像補正処理を実行する画像補正処理手段と、前記原稿の搬送方向において前記所定の読取位置よりも上流側に設けられ、前記原稿を案内するガイド部材とを備え、前記ガイド部材は、前記ガイド部材のガイド面と前記透明部材との間に段差が形成された状態で、前記読取手段に近接して配置され、前記原稿の上流側端部が前記ガイド部材の下流側端を通過する際には、前記原稿の上流側端部が前記ガイド部材の下流側端から前記段差を通過して前記透明部材へと移動した後に前記透明部材に接触しながら移動し、前記読取画像は、前記原稿の上流側端部が前記ガイド部材の下流側端を通過した後に前記読取手段により読み取られた第１の部分画像と、前記原稿の上流側端部が前記前記ガイド部材の下流側端を通過する前に前記読取手段により読み取られた第２の部分画像とを有し、前記画像補正処理手段は、前記第１の部分画像に対しては、前記第２の部分画像とは異なる種類の画像補正処理を施すことを特徴とする。
【発明の効果】
【００２０】
請求項１ないし請求項１１に記載の発明によれば、読取画像のうち第１の部分画像に対しては、第２の部分画像に対する補正度合いとは異なる補正度合いで画像補正処理が実行されるので、読取画像における画像劣化を抑制することが可能である。
【００２１】
特に、請求項２に記載の発明によれば、第１の部分画像内の各部分に対する補正度合いが当該各部分に関する前記原稿の上流側端からの距離に応じて変更されるので、画像劣化をより適切に抑制することが可能である。
【００２２】
また特に、請求項４に記載の発明によれば、第１の部分画像内の各部分に対する補正度合いが原稿の紙種に応じて変更されるので、画像劣化をより適切に抑制することが可能である。
【００２３】
また特に、請求項６に記載の発明によれば、第１の部分画像内の各部分に対する補正度合いを当該各部分に関する原稿の上流側端からの距離に応じて変更した補正曲線に基づいて、画像補正処理が実行されるので、画像劣化をより適切に抑制することが可能である。
【００２４】
また特に、請求項９に記載の発明によれば、算出手段により算出された下地部分の明度に応じて明度抑制処理が実行されるので、画像劣化をより適切に抑制することが可能である。
【００２５】
また特に、請求項１１に記載の発明によれば、原稿の坪量が所定値よりも小さいために原稿と清掃の対象面である透明部材との接触面積が大きくなる場合において、原稿上のゴミが当該透明部材に付着し当該透明部材が却って汚れてしまうこと、を防止することが可能である。
【００２６】
また、請求項１２に記載の発明によれば、読取画像のうち第１の部分画像に対しては、第２の部分画像とは異なる種類の画像補正処理が施されるので、読取画像における画像劣化を抑制することが可能である。
【図面の簡単な説明】
【００２７】
【図１】実施形態に係るコピー装置（画像読取装置）の概略構成を示す図である。
【図２】裏面読取ユニットの構成を示す図である。
【図３】コントローラの機能ブロックを示す図である。
【図４】裏面読取ユニット付近の拡大図である。
【図５】裏面読取ユニット付近の拡大図である。
【図６】裏面読取ユニット付近の拡大図である。
【図７】裏面読取ユニットの清掃動作を伴う動作を示す図である。
【図８】裏面読取ユニットの清掃動作を伴う動作を示す図である。
【図９】裏面読取ユニットの清掃動作を伴う動作を示す図である。
【図１０】裏面読取ユニットの清掃動作を伴う動作を示す図である。
【図１１】裏面読取ユニット付近を示す模式図である。
【図１２】裏面読取ユニット付近を示す模式図である。
【図１３】裏面読取ユニット付近を示す模式図である。
【図１４】裏面読取ユニット付近を示す模式図である。
【図１５】原稿（厚紙）との距離が経時的に変動する様子を示す図である。
【図１６】原稿を示す図である。
【図１７】読取画像を示す図である。
【図１８】（原稿−読取面）間の距離と補正度合いとの関係を示す図である。
【図１９】補正度合いの経時変化を示す図である（厚紙）。
【図２０】原稿の後端からの距離と補正度合いとの関係を示す図である（厚紙）。
【図２１】原稿との距離が経時的に変動する様子を示す図である（薄紙）。
【図２２】補正度合いの経時変化を示す図である（薄紙）。
【図２３】原稿の後端からの距離と補正度合いとの関係を示す図である（薄紙）。
【図２４】詳細動作を示すフローチャートである。
【図２５】変型例に係る動作を説明する図である。
【図２６】変型例に係るコントローラの機能ブロックを示す図である。
【発明を実施するための形態】
【００２８】
以下、本発明の実施形態を図面に基づいて説明する。
【００２９】
＜１．構成概要＞
図１は、コピー装置１の概略構成を示す図である。コピー装置１は、スキャナ部３と印刷出力部５とを備えている。コピー装置１は、原稿の画像を読み取る機能を有していることから、画像読取装置とも称される。なお、各図においては、ＸＹＺ直交座標系を用いて方向等を示している。
【００３０】
スキャナ部３は、原稿を光学的に読み取ることによって、当該原稿の画像データを生成する処理部である。
【００３１】
印刷出力部５は、印刷対象に関するデータに基づいて紙などの各種の媒体に画像を印刷出力する出力部である。印刷出力部５としては、電子写真方式あるいはインクジェット方式等の各種の方式のものを採用することができる。
【００３２】
コピー装置１は、原稿に関する画像をスキャナ部３で取得し、当該画像を印刷出力部５で印刷出力することによって、原稿のコピー（複写）機能を実現する。
【００３３】
また、スキャナ部３は、表面読取ユニット１０と裏面読取ユニット２０と原稿搬送部３０とを備え、原稿の両面の画像を自動で読み取ることが可能である。すなわち、スキャナ部３は、自動両面読取装置として構成されている。
【００３４】
原稿搬送部３０は、原稿を原稿搬送経路ＣＰに沿って上流側から下流側へと搬送する。原稿搬送部３０は、給紙ローラ３１と分離ローラ３２と読取前ローラ３４と読取後ローラ３５とを含む複数の搬送ローラ（詳細には複数のローラ対）を有している。原稿載置トレイ４１に載置された原稿は、給紙ローラ３１によって分離ローラ３２側へと送り出された後、順次、各ローラ３２，３３，３４，３５によって搬送方向下流側へと進行する。当該原稿は、各ローラ３２，３３，３４，３５およびガイド部材３７，３８等によって形成される搬送路ＣＰに沿って、排出トレイ４８へ向けて進行する。なお、原稿は、分離ローラ３２によって分離され、１枚ずつ搬送される。
【００３５】
表面読取ユニット１０は、ここでは縮小光学系型の読取部として構成される。表面読取ユニット１０は、光源１１とリフレクタ１１ｒとミラー１２（１２ａ，１２ｂ，１２ｃ）とレンズ（結像光学系）１４とイメージセンサ（受光センサ）１５とを有している。イメージセンサ１５としては、複数の受光素子（画素）が主走査方向（Ｘ方向）に一次元状（直線状）に配列されたリニアイメージセンサ（ここでは、ＣＣＤラインセンサ等）が用いられる。表面読取ユニット１０の各要素は、いずれも、原稿の搬送路ＣＰの下側に設けられている。
【００３６】
なお、表面読取ユニット１０は副走査方向（Ｙ方向）に移動可能な可動式ユニットとして構成されている。表面読取ユニット１０のＹ方向の移動に伴って、表面読取ユニット１０に固定された各種構成要素、すなわち、光源１１、リフレクタ１１ｒ、ミラー１２（１２ａ，１２ｂ，１２ｃ）、レンズ１４およびイメージセンサ１５等は、Ｙ方向に移動する。
【００３７】
一方、裏面読取ユニット２０は、ここでは密着型の読取部として構成される。裏面読取ユニット２０は、いわゆるＣＩＳ（Contact Image Sensor）として構成される。
【００３８】
具体的には、裏面読取ユニット２０は、図２に示すように、光源２１とイメージセンサ（受光センサ）２５とを有している。イメージセンサ２５としては、複数の受光素子（画素）が主走査方向（Ｘ方向）に一次元状（直線状）に配列されたリニアイメージセンサが用いられる。裏面読取ユニット２０の各要素は、いずれも、原稿の搬送路ＣＰの上側に設けられている。また、裏面読取ユニット２０は、図１に示すように、コピー装置１において所定の位置に固定されている。
【００３９】
また、裏面読取ユニット２０の下面側には、透明部材２７が設けられている。この透明部材２７は、原稿の搬送経路ＣＰと裏面読取ユニット２０の受光素子との間に設けられている。なお、透明部材２７の下面は、裏面読取ユニット２０に関する読取面、あるいは、搬送経路ＣＰに対向する対向面などとも表現される。
【００４０】
このように、原稿が搬送される搬送路ＣＰの一方面側（下側）には表面読取ユニット１０が設けられ、当該搬送路ＣＰの他方面側（上側）には裏面読取ユニット２０が設けられている。
【００４１】
原稿搬送部３０により原稿が下流側に搬送されていくタイミングに合わせて表面読取ユニット１０および裏面読取ユニット２０による読取動作が実行されることによって、原稿の両面の画像が並行して取得される。なお、可動式の表面読取ユニット１０が図１の位置に存在する状態において原稿がプラテンガラス４３付近を通過するときに、当該表面読取ユニット１０は表面に関する読取動作を実行する。
【００４２】
このコピー装置１においては、原稿載置トレイ４１に載置されていた原稿が搬送路ＣＰを下流側へと進行するにつれて当該原稿の進行角度が徐々に変更され、原稿がプラテンガラス４３付近を通過するときには面の上下が逆転している。すなわち、原稿が原稿載置トレイ４１に載置されているときには原稿の表（おもて）面は上側の面であるのに対して、原稿がプラテンガラス４３付近を通過するときには原稿の表面は下側の面である。
【００４３】
表面読取ユニット１０の光源１１は、上記の搬送路ＣＰを通過する原稿の表（おもて）面（下側の面）を下方より照射する。光源１１からの光は、原稿搬送部３０の下面側部材４５，４６の相互間に配置されたプラテンガラス４３を透過し、原稿の表面で反射される。そして、当該反射光はイメージセンサ１５で受光される。イメージセンサ１５は、用紙の幅方向（主走査方向）におけるライン画像を一度に取得する。そして、用紙がその搬送方向（副走査方向）に徐々に移動する際に同様のライン画像の取得動作が繰り返されることによって、原稿の表面に関する２次元の画像（２次元画像）が取得される。
【００４４】
また、表面読取ユニット１０による読取動作に並行して、裏面読取ユニット２０による裏面の読取動作が実行される。
【００４５】
裏面読取ユニット２０の光源２１は、上記の搬送路ＣＰを通過する原稿の裏面（上側の面）を上方より照射する。そして、原稿の裏面で反射された光は、イメージセンサ２５で受光される。イメージセンサ２５は、用紙の幅方向（主走査方向）におけるライン画像を一度に取得する。そして、用紙がその搬送方向（副走査方向）に徐々に移動する際に同様のライン画像の取得動作が繰り返されることによって、原稿の裏面に関する２次元の画像が取得される。
【００４６】
以上のようにして、スキャナ部３は、表面読取ユニット１０と裏面読取ユニット２０とを用いることによって、原稿の１回の通過動作において、原稿を反転させることなく当該原稿の両面の画像を読み取り、各面の画像データを生成することが可能である。
【００４７】
また、スキャナ部３は、可動式のガイド部材３８（図１参照）をさらに備えている。ガイド部材３８は、読取位置Ｐ１０よりも上流側に設けられ、より下流側へ（詳細には読取位置Ｐ１０側へ）向けて原稿ＰＡを案内する。このガイド部材３８は、裏面読取ユニット２０に近接して配置される。より詳細には、ガイド部材３８は、当該ガイド部材３８の用紙搬送面（ガイド面とも称する）３８ｆ（図１１参照）と透明部材２７の下面（読取面）との間に段差ＧＰを有する状態で配置される。この段差ＧＰは、用紙搬送方向に略垂直な方向（略Ｚ方向）に設けられる。なお、ガイド部材３８は、このような段差ＧＰを形成する段差形成部材（段差形成手段）であるとも表現される。
【００４８】
また、ガイド部材３８は、ソレノイドコイル等で構成される直動駆動機構３９によって、略Ｙ方向に移動可能、より詳細には用紙搬送面（水平状態からＸ軸回りに微小角度回転した傾斜面）に平行な方向（用紙搬送方向）に沿って移動可能な、可動式部材である。さらに詳細には、ガイド部材３８は、原稿搬送方向に沿って位置ＰＧａ（図６参照）と位置ＰＧｂ（図７参照）との相互間を移動可能である。ここで、位置ＰＧａは、ガイド部材３８が読取位置Ｐ１０を覆うことなくガイド部材３８の下流側端（前側端）３８ｄが読取位置Ｐ１０に接近する位置、換言すれば、ガイド部材３８の下流側端３８ｄが原稿搬送方向において読取位置Ｐ１０の上流側直近位置に存在する位置である。また、位置ＰＧｂは、ガイド部材３８が原稿搬送方向に沿って位置ＰＧａから微小距離（たとえば数ミリメートル）上流側に移動した位置である。
【００４９】
なお、後述するように、このガイド部材３８等を利用することによって、コピー装置１は、透明部材２７の下面に付着したゴミを除去することが可能である。
【００５０】
また、コピー装置１は、コントローラ９をさらに備えている。コントローラ９は、コピー装置１を統括的に制御する制御部である。コントローラ９は、ＣＰＵおよび各種の半導体メモリ（ＲＡＭおよびＲＯＭ等）等を備えるコンピュータシステムとして構成される。コントローラ９は、ＣＰＵにおいて、ＲＯＭ（例えば、ＥＥＰＲＯＭ等）内に格納されている所定のソフトウエアプログラム（以下、単にプログラムとも称する）を実行することによって、各種の処理部（図３参照）を実現する。
【００５１】
図３は、コントローラ９の機能的構成を示すブロック図である。図３に示すように、コントローラ９は、原稿の読取画像に関する画像データ等を生成するデータ生成部９１と、当該読取画像に関する画像補正処理を行う画像補正処理部９２と、ゴミ掻き取り動作の実行および非実行の切換制御等を行う動作制御部９３とを備えている。画像補正処理部９２は、明度補正処理（明度調整処理）を行う明度補正部（明度調整部）９２ａと、エッジ強調処理を行うエッジ強調処理部９２ｂとを有する。
【００５２】
＜２．スキャン動作（読取動作）＞
＜２−１．概要＞
本コピー装置１の自動両面読取動作においては、裏面のスキャン動作のみならず表面のスキャン動作も実行されるが、ここでは表面のスキャン動作の説明を適宜省略し、裏面のスキャン動作を中心に説明する。
【００５３】
本コピー装置１は、裏面のスキャン動作（読取動作）に関する動作として２種類の動作を行うことが可能である。１つは、裏面読取ユニット２０の清掃動作を伴わない動作Ｗ１であり、他の１つは裏面読取ユニット２０の清掃動作を伴う動作Ｗ２である。後述するように、本コピー装置１は、これら２種類の動作Ｗ１，Ｗ２を選択的に実行する。
【００５４】
＜２−２．清掃動作を伴わない動作Ｗ１＞
まず、裏面読取ユニット２０の清掃動作を伴わない動作Ｗ１について説明する。図４〜図６は、裏面読取ユニット２０付近の拡大図であり、当該動作Ｗ１において原稿ＰＡが搬送されていく様子を順次に示す図である。なお、図４〜図６においては、ガイド部３７ｅ等が適宜省略されている。
【００５５】
原稿ＰＡは、裏面読取ユニット２０付近において、ガイド部材３８，３７ｄの間を通過して進行する。詳細には、原稿ＰＡの比較的下流側（図の右側）の部分がローラ対３５で挟持された状態で、原稿ＰＡの比較的上流側（図の左側）の部分が裏面読取ユニット２０付近においてガイド部材３８とガイド部材３７ｄとに案内されて進行する。
【００５６】
原稿ＰＡの搬送に伴って、原稿ＰＡの上流側端部（原稿ＰＡの後端部、とも称される）Ｐｕは搬送方向下流側に向けて進行する。より具体的には、原稿ＰＡの後端部Ｐｕは図４の位置から図５の位置へと移動していく。図５においては、原稿ＰＡの上流側端部（後端部）Ｐｕが、ガイド部材３８の下流側端（ガイド部材３８の前側端、とも称される）３８ｄの直前位置にまで到達している。
【００５７】
画像に関する実際の読取動作は、原稿ＰＡの下流側端（原稿ＰＡの前側端、とも称される）Ｐｄ（不図示）が読取位置Ｐ１０を通過した時点Ｔ０から、原稿の上流側端部（後端部）Ｐｕが読取位置Ｐ１０直前の位置にまで到達した時点（図５の時点）Ｔ１まで継続される。これにより、原稿ＰＡの裏面を読み取った読取画像（スキャン画像とも称する）が取得される。
【００５８】
なお、このような読取動作においては、後端側の微小幅領域（例えば１ｍｍ幅の領域）に関する画像は取得されない。また、時刻Ｔ０から時刻Ｔ１までの期間においては、原稿ＰＡと透明部材２７の下面との距離Ｈ（後述）は、ほぼ一定値Ｈ０（図１５も参照）である。そのため、後述するような画像劣化は殆ど生じない。
【００５９】
＜２−３．清掃動作を伴う動作Ｗ２＞
＜概要＞
つぎに、裏面読取ユニット２０の清掃動作を伴う動作Ｗ２について説明する。図７〜図１０は、裏面読取ユニット２０付近の拡大図であり、当該動作Ｗ１において原稿ＰＡが搬送されていく様子を順次に示す図である。また、図１１〜図１４は、それぞれ、図７〜図１０を模式的に示す図である。なお、図７〜図１４においては、ガイド部３７ｅ等が適宜省略されている。
【００６０】
動作Ｗ２においても、原稿ＰＡは、裏面読取ユニット２０付近において、ガイド部材３８，３７ｄの間を通過して進行する。詳細には、原稿ＰＡの比較的下流側（図の右側）の部分がローラ対３５で挟持された状態で、原稿ＰＡの比較的上流側（図の左側）の部分が裏面読取ユニット２０付近においてガイド部材３８とガイド部材３７ｄとに案内されて進行する。
【００６１】
ただし、動作Ｗ２における可動式のガイド部材３８の位置ＰＧｂは、（特にＹ方向において）動作Ｗ１における裏面読取ユニット２０の位置ＰＧａと相違している。具体的には、図７〜図１１のガイド部材３８の位置ＰＧｂは、図４〜図６のガイド部材３８の位置ＰＧａに比べて、上流側（図の左側）に移動している。このような移動動作は、直動駆動機構３９により実現される。
【００６２】
図７および図１１には、ローラ３５等の駆動によって原稿ＰＡの上流側端部（後端部）Ｐｕがガイド部材３８の下流側端（前側端）３８ｄの直前位置にまで到達した様子が示されている（時刻Ｔ１０）。このとき、原稿ＰＡは、上側に凸に湾曲したガイド部材３７ｄに沿って案内されており、原稿ＰＡの後端部Ｐｕは、ガイド部材３８側（上側）へ向かう力を受けつつガイド部材３８に接触しながら移動している。換言すれば、原稿ＰＡの後端部Ｐｕは、ガイド部材３８からの反力を受けつつガイド面３８ｆに沿って移動している。
【００６３】
その後、さらに原稿ＰＡが下流側に向けて搬送されると、原稿ＰＡの後端部Ｐｕがガイド部材３８の前側端３８ｄを通過する。このとき、原稿ＰＡの後端部Ｐｕは、前側端３８ｄ通過時にガイド部材３８からの反力を失うため、図８および図１２に示すように、透明部材２７の下面に接触するまで段差ＧＰを通過して上方に移動する（時刻Ｔ１１）。
【００６４】
さらにその後、原稿ＰＡの下流側への搬送に伴って、図９および図１０に示すように（図１３および図１４に示すように）、原稿ＰＡの後端部Ｐｕは透明部材２７の下面に接触しながら移動する。詳細には、原稿ＰＡの後端部Ｐｕは、読取位置Ｐ１０よりも上流側の位置（図１３参照（時刻Ｔ１３））から、読取位置Ｐ１０を通過して、当該読取位置Ｐ１０よりも下流側の位置（図１４参照（時刻Ｔ１７））に至るまで、透明部材２７の下面に接触しながら移動する。
【００６５】
このように、原稿ＰＡの上流側端部（後端部）Ｐｕがガイド部材３８の下流側端（前側端）３８ｄを通過する際には、原稿ＰＡの後端部Ｐｕがガイド部材３８から段差ＧＰを通過して透明部材２７へと移動した後に透明部材２７の下面に接触しながら移動する。
【００６６】
このとき、原稿ＰＡの後端部Ｐｕは、透明部材２７の下面に付着したゴミを掻き取りながら進行する。そのため、原稿ＰＡの後端部Ｐｕは、透明部材２７の下面のゴミを除去すること、すなわち裏面読取ユニット２０に関する読取面を清掃すること、が可能である。特に、動作Ｗ２においては、動作Ｗ１と異なり、原稿ＰＡの後端部Ｐｕは、読取位置Ｐ１０の下流側のゴミのみならず読取位置Ｐ１０の上流側（図の左側）のゴミをも良好に除去することが可能である。なお、図１１〜図１４においては、ゴミ（小さな円で示される）が良好に除去される様子が模式的に示されている。
【００６７】
＜画像劣化＞
ところで、上記のような動作Ｗ２においては、原稿ＰＡを読み取る動作は、原稿ＰＡの下流側端部（前端部）Ｐｄが読取位置Ｐ１０を通過した時点Ｔ０から、原稿の上流側端部（後端部）端部Ｐｕが読取位置Ｐ１０に到達した時点（時刻Ｔ１３（図１３）と時刻Ｔ１７（図１４）との間の時点）Ｔ１５まで継続される。すなわち、この期間（時刻Ｔ０〜時刻Ｔ１５）において、裏面に関する実際のスキャン動作が継続され、原稿ＰＡの裏面に関する読取画像（スキャン画像）が取得される。なお、このような動作Ｗ２においては、後端側の微小幅領域（例えば１ｍｍ幅の領域）をも含む裏面の全体を読み取ること（換言すれば、全面読取を行うこと）も可能である。
【００６８】
ただし、動作Ｗ２においては、動作Ｗ１とは異なり、実際のスキャン処理中において原稿ＰＡと透明部材２７の下面との距離Ｈが比較的大きく変動する。
【００６９】
図１５は、距離Ｈが経時的に変動する様子を示す図である。
【００７０】
図１５に示すように、時刻Ｔ０から時刻Ｔ１０までの期間においては、距離Ｈは、ほぼ一定値Ｈ０（図１１参照）である。
【００７１】
一方、時刻Ｔ１０の直後の時刻Ｔ１１においては、距離Ｈは値Ｈ１（＜Ｈ０）にまで減少する（図１２参照）。その後、距離Ｈは、時間の経過に伴って徐々に減少し、時刻Ｔ１３では値Ｈ３（＜Ｈ１）にまで減少し（図１３参照）、時刻Ｔ１５においてゼロになる。なお、時刻Ｔ１５は、原稿ＰＡの上流側端部（後端部）端部Ｐｕが位置Ｐ１０へと到達する時刻である。
【００７２】
また、このコピー装置１においては、裏面読取ユニット２０としてＣＩＳが用いられている。密着型のＣＩＳは、ＣＣＤ等に比べて、距離Ｈの変化に対する明るさ（明度）の変化の程度が大きいという特性を有している。すなわち、距離Ｈの変動に応じてスキャン画像ＧＢの明るさが変化し易い。具体的には、距離Ｈが小さくなると明度が非常に大きくなる。
【００７３】
そのため、特に、このような特性を有するＣＩＳを用いて上記の動作Ｗ２を行い図１６のような原稿（例えば下地色付き原稿）ＰＡを読み取ってスキャン画像ＧＢを生成すると、当該スキャン画像ＧＢにおいて図１７に示すような画像劣化が生じ易い。
【００７４】
図１７では、画像ＧＢの前側（図１７の左側）の領域ＲＧ０（ここではスキャン画像ＧＢのうち領域ＲＧ１（次述）を除く領域）は適切な明度を有している。一方、画像ＧＢの後端側（図１７の右側）の領域ＲＧ１（たとえば数ミリメートル幅の領域）は、上述の距離Ｈの増大に起因して、非常に大きな明度を有している。
【００７５】
なお、領域ＲＧ１は、スキャン画像ＧＢのうち、原稿ＰＡの後端部Ｐｕがガイド部材３８の下流側端３８ｄを通過した後に裏面読取ユニット２０により読み取られた部分画像（部分領域）であるとも表現される。また、領域ＲＧ０は、スキャン画像ＧＢのうち、原稿ＰＡの後端部Ｐｕがガイド部材３８の下流側端３８ｄを通過する前に裏面読取ユニット２０により読み取られた部分画像（部分領域）であるとも表現される。
【００７６】
また、このＣＩＳは、ＣＣＤ等に比べて、焦点深度が浅いという特性をも有している。すなわち、スキャン画像に「ぼけ」が生じやすい。そのため、（図１７には表されていないが、）当該スキャン画像ＧＢの領域ＲＧ１においては、上述の距離Ｈの増大に起因して、エッジがぼけてしまうことも多い。
【００７７】
＜３．画像補正処理の詳細＞
＜概要＞
そこで、この実施形態においては、上述のような画像劣化を抑制する技術を例示する。
【００７８】
図１８は、距離Ｈと補正度合いＶとの関係を示す図である。以下では、画像補正処理として、「明度調整処理」を先ず例示する。
【００７９】
ここでは、原稿ＰＡの領域ＲＧ０（具体的には、原稿ＰＡの領域ＲＧ１以外の領域）の読取時には、スキャン画像ＧＢの領域ＲＧ０の明度等が適正になるように調整されているものとする。そのため、領域ＲＧ０に対しては追加的な明度補正は不要である。
【００８０】
上述したように、原稿ＰＡの領域ＲＧ０の読取時には、距離Ｈがほぼ値Ｈ０に等しい。距離Ｈが値Ｈ０に等しいときには補正を行うことを要しない（図１８参照）。
【００８１】
一方、原稿ＰＡの領域ＲＧ１の読取時には、距離Ｈは、値Ｈ１にまで急激に低減した後、徐々に小さくなっていく。そのため、領域ＲＧ１の画像は、距離Ｈの低減に伴って比較的明るい画像になってしまい、図１７に示すような画像劣化が生じ得る。
【００８２】
このような画像劣化を抑制するため、画像補正処理部９２の明度補正部９２ａは、距離Ｈが値Ｈ０よりも小さい場合には、明度抑制処理を行う。より詳細には、距離Ｈが小さくなるにつれて、明度補正部９２ａは、その補正度合い（明度抑制の度合い）を徐々に増大させる。
【００８３】
換言すれば、画像補正処理部９２は、スキャン画像ＧＢ内の領域ＲＧ１に対しては、領域ＲＧ０に対する補正度合いとは異なる補正度合いで適宜の画像補正処理を実行する。詳細には、明度補正部９２ａは、領域ＲＧ０に対しては明度（明るさ）を低減（抑制）する明度調整処理（明度抑制処理）を行わない（補正度合い＝ゼロ）一方で、領域ＲＧ１に対しては明度を抑制する明度調整処理（明度抑制処理）を行う。ここでは、スキャン画像ＧＢ内の領域ＲＧ０に関する距離Ｈは値Ｈ０に等しいとみなされ、明度補正部９２ａは領域ＲＧ０に対しては明度抑制処理を行わない。
【００８４】
なお、本願においては、このように、「領域ＲＧ０（第２の領域）に対する補正度合いとは異なる補正度合いで、領域ＲＧ１（第１の領域）に対して補正処理を実行する」との思想には、「領域ＲＧ０に対しては施されない補正処理を領域ＲＧ１に対して施す」態様も包含されるものとする。
【００８５】
さらに詳細には、図１９に示すように、まず、時刻Ｔ０から時刻Ｔ１０までの期間（領域ＲＧ０に関する読取期間）に読み取られた部分画像ＲＧ０に対しては、画像補正処理部９２は所定の画像補正処理（明度抑制処理等）を施さない。
【００８６】
一方、時刻Ｔ１０の直後の時刻Ｔ１１以降に読み取られた部分画像ＲＧ１に対しては、画像補正処理部９２は当該所定の画像補正処理を施す。換言すれば、部分画像ＲＧ１に対しては、部分画像ＲＧ０に対しては施されていなかった画像補正処理（部分画像ＲＧ０に対する画像補正処理とは異なる種類の画像補正処理）が追加的に施される。なお、時刻Ｔ１１以降の期間は、領域ＲＧ１に関する読取期間であるとも表現される。
【００８７】
詳細には、まず時刻Ｔ１１においては、距離Ｈ１に対応する補正度合いＶ１を採用する。距離Ｈ１が距離Ｈ０よりも小さいことに対応して、補正度合いＶ１は、好ましくは、０（ゼロ）以外の有意の値に決定される。その後、時間の経過に伴って距離Ｈが徐々に減少していくことに対応して、補正度合いＶは徐々に増大される。例えば、補正度合いＶは、時刻Ｔ１３では値Ｖ３（＞Ｖ１）にまで増大され、時刻Ｔ１５には値Ｖ５（＞Ｖ３）にまで増大される（図１８参照）。
【００８８】
なお、時刻Ｔ１０と時刻Ｔ１１との間においては、値Ｖ０と値Ｖ１との中間の値Ｖ１０を用いて画像補正処理を施すことが好ましい（Ｖ０＜Ｖ１０＜Ｖ１）。
【００８９】
また、以上のような動作は、次述するように、原稿ＰＡ内の各部分に関する原稿後端からの距離Ｄに応じて画像補正処理内容を変更するものであるとも表現される。
【００９０】
具体的には、図２０に示すように、値Ｄ１より大きな距離Ｄに関する部分画像ＲＧ０（時刻Ｔ０から時刻Ｔ１０までの期間に取得された部分画像）に対しては所定の画像補正処理は行われない。その一方、値Ｄ１以下の距離Ｄに関する部分画像ＲＧ１（時刻Ｔ１１から時刻Ｔ１５までの期間に取得された部分画像）に対しては当該所定の画像補正処理が行われる。
【００９１】
特に、領域ＲＧ１内の各部分に対する補正度合いは当該各部分に関する原稿後端からの距離Ｄに応じて変更される。詳細には、時刻Ｔ１１にて距離Ｄが値Ｄ１になると、対応部分に対する補正度合いとして値Ｖ１が採用され、その後、時間の経過に伴って距離Ｄが徐々に減少していくことに対応して、各対応部分に対する補正度合いの値Ｖは徐々に増大される。より詳細には、各距離Ｄに対応する補正度合いＶは、距離Ｄ３（時刻Ｔ１３）では値Ｖ３（＞Ｖ１）にまで増大され、距離Ｄ５（時刻Ｔ１５）（Ｄ５＝０）では値Ｖ５（＞Ｖ３）にまでさらに増大される（Ｄ５＜Ｄ３＜Ｄ１、且つ、Ｖ１＜Ｖ３＜Ｖ５）。このように、領域ＲＧ１内の各部分に対する補正度合いは、領域ＲＧ１内の各部分に関する距離Ｄが小さくなるにつれて、増大するように設定される。
【００９２】
なお、距離Ｄは、原稿ＰＡのサイズと、原稿ＰＡの下流側端が読取位置Ｐ１０を通過した時刻Ｔ０からの経過時間と、原稿ＰＡの搬送速度とに基づいて算出されればよい。また、原稿ＰＡのサイズは、原稿載置トレイ４１に配置された原稿サイズ検出センサ（不図示）による検出結果に基づいて判定されればよく、あるいは、操作者による設定内容に基づいて判定されてもよい。
【００９３】
このような画像補正処理によれば、原稿ＰＡに関するスキャン画像ＧＢは、図１６の原稿ＰＡと同様の均一な明るさを有するように補正され、適正な画像スキャン画像（ＧＡ（図１６参照）とも称する）として取得される。
【００９４】
また、上記においては、画像補正処理として「明度抑制処理」を採用する場合について説明しているが、スキャン画像ＧＢ（特に領域ＲＧ１）に関する「エッジ強調処理」を画像補正処理として採用する場合も同様である。具体的には、画像補正処理部９２のエッジ強調処理部９２ｂは、領域ＲＧ１に対しては、領域ＲＧ０に対する補正度合いとは異なる補正度合いでエッジ強調処理を実行すればよい。
【００９５】
特に、距離Ｈが値Ｈ０よりも小さい場合には、エッジ強調処理の補正度合いを増大させることが好ましい。より詳細には、距離Ｈが小さくなるにつれてエッジ強調処理の補正度合いを徐々に増大させること（エッジの強調度合いを増大させること）が好ましい。換言すれば、原稿ＰＡの後端からの距離Ｄに応じて補正度合いを変更することが好ましく、より詳細には、距離Ｄが徐々に減少するにつれて、補正度合いＶを徐々に増大させることが好ましい。これによれば、距離Ｈが所定値Ｈ０からずれること（値Ｈ０よりも小さくなること）に伴う画像のボケを抑制することが可能である。
【００９６】
なお、ここでは、領域ＲＧ０に対しては明度調整処理およびエッジ強調処理等が施されていないものとして説明しているが、これに限定されない。たとえば、領域ＲＧ０に対しても明度調整処理および／またはエッジ強調処理等を施す場合にも上記の思想を適用することができる。具体的には、領域ＲＧ０に対して所定値Ｖ０による画像補正処理が施される場合において、領域ＲＧ１に対する補正度合いを、領域ＲＧ０に対する補正度合いよりも大きな値に設定するようにしてもよい。より具体的には、領域ＲＧ１内の各部分に対する補正度合いを、基準補正値Ｖ０に対応する補正度合いよりも増大させるようにしてもよい。詳細には、各部分の対応距離Ｄが小さくなるにつれて、当該各部分に対する補正度合いを増大させるようにしてもよい。
【００９７】
以上のような画像補正処理によれば、領域ＲＧ１に対しては、領域ＲＧ０に対する補正度合いとは異なる補正度合いで明度抑制処理および／またはエッジ強調処理が行われる。したがって、スキャン画像の後端部付近（領域ＲＧ１）における画像劣化を抑制することが可能である。換言すれば、原稿ＰＡと透明部材２７との距離変動に起因して生じ得る画像劣化を抑制することが可能である。
【００９８】
特に、領域ＲＧ１内の各部分に対する補正度合いは、当該各部分に関する原稿ＰＡの上流側端Ｐｕからの距離Ｄに応じて変更されるので、画像劣化をより適切に抑制することが可能である。
【００９９】
＜補正度合い変更（用紙の厚さに応じて）＞
上記においては、図１５に示すように、時刻Ｔ１１から時刻Ｔ１５までの期間において、距離Ｈが直線的に減少する状況を想定した。例えば、原稿ＰＡが厚紙（その坪量が所定値ＴＨ１よりも大きい用紙）である場合には、距離Ｈは図１５のような変化を伴うことが多い。
【０１００】
一方、原稿ＰＡが薄紙（その坪量が比較的小さい用紙）である場合には、距離Ｈの変化曲線は、図２１に示すように下側に移動することが多い。これは、薄紙が厚紙に比べて湾曲しやすいことに起因する。時刻Ｔ１１〜Ｔ１５において、図２１の距離Ｈは、図１５の距離Ｈと比較して相対的に小さな値を有している。換言すれば、図２１の距離Ｈは、時刻Ｔ１１〜Ｔ１５において、比較的早期に比較的小さな値にまで低減される。
【０１０１】
したがって、原稿ＰＡが薄紙である場合には、図２２（，図２３）に示すような補正度合いを採用することが好ましい。図１９（、図２０）と比較すると判るように、時刻Ｔ１１〜Ｔ１５において、図２２の補正度合いＶは相対的に大きな値を有している。換言すれば、図２２の補正度合いＶは、時刻Ｔ１１〜Ｔ１５において、比較的早期に比較的大きな値にまで増大される。
【０１０２】
本実施形態においては、領域ＲＧ１に関する補正度合いＶとして、厚紙用の補正度合いの変化曲線（補正曲線とも称する）Ｌｐ（図２０参照）と、薄紙用の補正度合いの補正曲線Ｌｑ（図２３参照）とを予め準備しておく。具体的には、両変化曲線Ｌｐ，Ｌｑに関する各補正データＤｐ，Ｄｑをコントローラ９のＲＯＭ内等に格納しておき、これらの補正データＤｐ，Ｄｑのうち読込対象原稿に対応する補正データを利用して、画像補正処理を行う。
【０１０３】
このように、原稿ＰＡの種類（より具体的には原稿ＰＡの厚さ）に応じて、補正度合いＶ（詳細には、補正度合いＶの変化曲線）が変更されることが好ましい。より具体的には、比較的薄い原稿の領域ＲＧ１に対する補正度合いは、比較的厚い原稿の領域ＲＧ１に対する補正度合いよりも大きく設定されることが好ましい。なお、ここでは、２種類の用紙について補正曲線を準備しておく場合について説明したが、これに限定されない。さらに多くの種類の用紙のそれぞれについて同様の補正曲線等を準備しておくようにしてもよい。
【０１０４】
＜４．動作例＞
つぎに、図２４のフローチャートを参照しながら、詳細動作の一例について説明する。
【０１０５】
このフローチャートにおいては、読取対象の原稿ＰＡが極めて薄い紙（その坪量が所定値ＴＨ２（＜ＴＨ１）よりも小さい用紙）である場合には、ガイド部材３８が位置ＰＧａに配置され、上記の動作Ｗ１が行われるものとする。動作Ｗ１においては、原稿ＰＡの後端部Ｐｕを用いたゴミ掻き取り動作は実行されない。一方、読取対象の原稿ＰＡが比較的厚い用紙である場合には、上述の画像補正処理を伴う動作Ｗ２が行われるものとする。動作Ｗ２においては、原稿ＰＡの後端部Ｐｕを用いたゴミ掻き取り動作が実行される。
【０１０６】
読取対象の原稿ＰＡが極めて薄い紙である場合には、原稿ＰＡと透明部材２７との接触面積が比較的大きくなり、謂わば、原稿ＰＡと透明部材２７とが「面」で接触することが考えられる。このような「面」接触においては、原稿ＰＡ上のトナー粉あるいは鉛筆の黒鉛粉等が逆に透明部材２７に多く付着してしまう事態も想定される。そのため、この実施形態においては、このような事態を回避するため、読取対象の原稿ＰＡが極めて薄い紙（その坪量が所定値ＴＨ２（＜＜ＴＨ１）よりも小さい用紙）である場合には、動作Ｗ２ではなく動作Ｗ１を行うものとする。
【０１０７】
これによれば、原稿ＰＡの坪量が所定値ＴＨ２よりも小さく原稿ＰＡと清掃対象の透明部材２７との接触面積が大きくなる場合において、原稿ＰＡ上のゴミ（トナーあるいは鉛筆の粉等）が当該透明部材２７に付着し当該透明部材２７が却って汚れてしまうこと、を防止できる。
【０１０８】
なお、このような動作Ｗ１と動作Ｗ２との切り換え制御は、動作制御部９３によって実行される。
【０１０９】
まずステップＳ１において、操作者からの指示内容が「両面読取」であるか否かが判定される。換言すれば、裏面読取ユニット２０（すなわちＣＩＳ）が使用されるか否かが判定される。詳細には、操作者の設定内容（例えば、両面コピー／片面コピー、のいずれであるか）などに基づいて、当該事項が判定される。
【０１１０】
操作者からの指示内容が「両面読取」ではない（すなわち「片面読取」である）、と判定される場合には、ステップＳ４に進み、通常の片面スキャン動作が実行される。この片面スキャン動作においては、上記の動作Ｗ１と同様の動作が行われる。また、当該片面スキャン動作においては、表面読取ユニット１０による読取動作の後に、通常の画像処理動作が実行されて、片面（第１面ないし表（おもて）面）のスキャン画像が取得される。
【０１１１】
一方、操作者からの指示内容が「両面読取」である、と判定される場合には、ステップＳ２に進む。
【０１１２】
ステップＳ２においては、ゴミ掻き取り動作Ｗ２を実行すべきか否かが判定される。当該事項は、読取対象の原稿ＰＡが極めて薄い紙（その坪量が所定値ＴＨ２（＜＜ＴＨ１）よりも小さい用紙）であるか否かに応じて、判定される。なお、読取対象の原稿ＰＡの厚さは、読取原稿の種類に関する設定内容（操作者による設定内容）に基づいて判定されればよい。あるいは、読取対象の原稿ＰＡの厚さを測定する厚さセンサの測定結果に基づいて判定されるようにしてもよい。当該厚さセンサは、例えば、スキャナ部３の搬送経路ＣＰ上の適宜の位置に設けられればよい。
【０１１３】
原稿ＰＡが極めて薄い紙であると判定される場合には、ステップＳ５に進み、ゴミ掻き取り動作を伴わない通常の両面スキャン動作が実行される。ステップＳ５においては、動作Ｗ２ではなく動作Ｗ１が実行される。また、当該両面スキャン動作においては、表面読取ユニット１０および裏面読取ユニット２０による読取動作の後に、通常の画像処理動作が実行され、２枚のスキャン画像（第１面（おもて面）のスキャン画像および第２面（裏面）のスキャン画像）が取得される。
【０１１４】
一方、読取対象の原稿ＰＡが極めて薄い紙でないと判定されると、ステップＳ３に進み、ゴミ掻き取り動作を伴う両面スキャン動作が実行される。ステップＳ５においては、動作Ｗ１ではなく動作Ｗ２が実行される。当該動作Ｗ２においては、表面読取ユニット１０および裏面読取ユニット２０による読取動作の後に通常の画像処理に加えて上述の裏面に関する画像補正処理が実行され、２枚のスキャン画像（第１面（おもて面）のスキャン画像および第２面（裏面）のスキャン画像）が取得される。特に、上述の画像補正処理を裏面のスキャン画像に施すことによって、当該スキャン画像の後端部付記における画像劣化を抑制することが可能である。
【０１１５】
＜５．変形例等＞
以上、この発明の実施の形態について説明したが、この発明は上記説明した内容のものに限定されるものではない。
【０１１６】
たとえば、上記実施形態においては、補正度合いＶが連続的に変更される場合を例示したが、これに限定されない。具体的には、補正度合いＶが段階的に変更されるようにしてもよい。換言すれば、補正度合いＶは、複数の離散値の中から選択されるようにしてもよい。
【０１１７】
また、上記実施形態においては、原稿ＰＡの厚さに応じて補正度合いＶの変化曲線を変更する場合を例示したが、これに限定されない。たとえば、環境湿度ＨＭの多少に応じて補正度合いＶの変化曲線を変更するようにしてもよい。より詳細には、低湿環境（環境湿度ＨＭが閾値ＨＴよりも低い場合）においては、原稿ＰＡの水分含有量が比較的少なく原稿ＰＡの「コシ」は比較的強い。そのため、上述の図１９，図２０と同様、比較的直線的な変化曲線に基づいて補正を行えばよい。一方、高湿環境（環境湿度ＨＭが閾値ＨＴよりも高い場合）においては、原稿ＰＡの水分含有量が比較的多く原稿ＰＡの「コシ」は比較的弱い。そのため、上述の図２２，図２３と同様、全体的に比較的大きな補正度合いを有する変化曲線（補正曲線）に基づいて補正を行えばよい。なお、環境湿度は、装置内の所定位置に設けられた温度湿度計（不図示）等によって検出されればよい。
【０１１８】
また、上記実施形態においては、原稿ＰＡの後端からの距離Ｄに応じて予め定められた補正度合いに基づいて、スキャン画像（特にその領域ＲＧ１）に対する補正処理を行う場合を例示したが、これに限定されない。たとえば、次述するように、原稿ＰＡに関するスキャン画像ＧＢの明度（ここでは画素の階調値）をリアルタイムで検出しつつ、その測定結果に基づいて補正度合いを変更しつつ明度補正処理を実行するようにしてもよい。なお、この場合においては、原稿ＰＡの下地部分に関する明度が順次に測定されることが好ましい。
【０１１９】
図２５は、このような変型例に係る動作を説明する図である。図２５における曲線ＣＬは、スキャン画像ＧＢにおける下地部分の明度の測定結果を示している。また、図２６は、コントローラ９（９Ｂ）の機能ブロックを示す図である。図２６に示すように、この変型例に係るコントローラ９（９Ｂ）は、スキャン画像ＧＢにおける下地部分の明度を取得する明度取得部９５をも備えている。
【０１２０】
当該変形例においては、装置１（１Ｂ）は、スキャン中において、原稿ＰＡ内の下地部分である可能性が高い部分（例えば原稿内において原稿搬送方向に垂直な方向における両端周辺部分）の明度を補正前のスキャン画像ＧＢの画素値に基づいて随時測定する。たとえば、原稿ＰＡの下地部分に関して、所定微小期間内に読み取られた数ライン分の画素値（階調値）の平均値が、当該数ライン分の微小部分における明度として取得される。そして、そのような処理が順次に繰り返されることによって、微小部分（微小区域）ごとの明度が取得される。また、ここでは、領域ＲＧ０に対する各領域の明度の比を求めておく。具体的には、領域ＲＧ０の下地部分の平均明度を基準値Ｂｓとして定め、上述の各微小期間ごとの明度Ｂの当該基準値Ｂｓに対する比の値（Ｂ／Ｂｓ）を明度比として求める。
【０１２１】
装置１は、スキャン中の微小期間（微小区域）ごとの明度に基づいて、その明度変化を抑制するような補正度合いを算出する。詳細には、図１９あるいは図２２等と同様の変化曲線で表現される補正度合いがリアルタイムで決定されていく。そして、各微小期間の補正度合いを用いて、各微小期間に取得された対象画像領域に対して明度補正処理がそれぞれ実行される。このような動作によれば、実際の明度変化を適切に反映させることが可能である。
【０１２２】
明度抑制用の補正パラメータとしては、たとえば、上述の各微小期間ごとの明度比（Ｂ／Ｂｓ）の逆数等を採用すればよい。そして、当該補正パラメータをスキャン画像ＧＢの領域ＲＧ１内の元の画素値に乗じた値を、新たな画素値とするようにすればよい。なお、明度比の逆数を補正パラメータとして利用する場合には、当該補正パラメータ（明度比の逆数）が小さくなるにつれて、明度抑制作用は大きくなる。
【０１２３】
また、上記実施形態においては、搬送経路ＣＰの上側に裏面読取ユニット２０を設け、当該裏面読取ユニット２０に関する読取面（透明部材２７の下面）を原稿ＰＡの後端部Ｐｕを用いて清掃する場合を例示したが、これに限定されず、たとえば、上下を反転させるようにしてもよい。より詳細には、搬送経路ＣＰの下側に裏面読取ユニット２０を設け、当該裏面読取ユニット２０の受光センサ２５よりも上側に配置された透明部材２７を、原稿ＰＡの後端部Ｐｕを用いて清掃するようにしてもよい。
【０１２４】
また、上記実施形態においては、ＣＩＳが片面読取のみ（裏面読取ユニット２０のみ）に用いられる場合を例示したが、これに限定されない。例えば、表面読取ユニット１０と裏面読取ユニット２０との双方にＣＩＳが用いられるようにしてもよい。そして、このような装置における両面読取動作の双方に対して、上記の思想を適用するようにしてもよい。
【０１２５】
また、上記実施形態においては、画像読取装置は自動両面読取装置として構成される場合を例実施したが、これに限定されず、片面のみを読み取る画像読取装置に上記の思想を適用するようにしてもよい。
【０１２６】
また、上記実施形態においては、ＣＩＳを含む裏面読取ユニット２０に対して本発明の思想を適用する場合を例示したが、これに限定されない。たとえば、ＣＩＳ以外の読取センサユニット（読取手段）に対して上記の思想を適用するようにしてもよい。
【０１２７】
また、上記各実施形態においては、画像読取装置としてコピー装置を例示したが、これに限定されず、その他の種類の装置であってもよい。例えば、本発明に係る画像読取装置は、スキャン機能のみを有するスキャナ装置であってもよく、あるいは、逆にスキャン機能に加えて様々な機能（ファクシミリ通信機能等）をも備えた複合機（マルチ・ファンクション・ペリフェラル（ＭＦＰ）とも称する）などであってもよい。
【０１２８】
また、上記実施形態においては、スキャン時に画像補正処理を施してスキャン画像を生成する場合を例示したが、これに限定されない。たとえば、ＭＦＰにおいて、スキャン時には画像補正処理を施すことなく、一旦、スキャン画像を所定の記憶部（ＨＤＤ（ハードディスクドライブ）等）にそのまま記憶しておき、その後、所定のタイミング（ファクシミリ送信時あるいはＦＴＰ送信時等）にて画像処理を施すようにしてもよい。この場合には、スキャン時に得られたスキャン画像とともに、「紙種」等の付随情報を当該スキャン画像とともに関連付けて記憶しておき、当該付随情報に基づいてスキャン画像に対する画像補正処理を適宜の時点で施せばよい。
【符号の説明】
【０１２９】
１  コピー装置
３  スキャナ部
１０  表面読取ユニット
２０  裏面読取ユニット
２１  光源
２５  受光センサ
２７  透明部材
３０  原稿搬送部
３１，３２，３３，３４，３５  ローラ
３７  ガイド部材
３８  ガイド部材（段差形成部材）
３９  直動駆動機構
ＣＰ  原稿搬送経路
ＧＰ  段差
Ｐ１０  読取位置
ＰＡ  原稿
【図１】
2011160186.tif 000003
【図２】
2011160186.tif 000004
【図３】
2011160186.tif 000005
【図４】
2011160186.tif 000006
【図５】
2011160186.tif 000007
【図６】
2011160186.tif 000008
【図７】
2011160186.tif 000009
【図８】
2011160186.tif 000010
【図９】
2011160186.tif 000011
【図１０】
2011160186.tif 000012
【図１１】
2011160186.tif 000013
【図１２】
2011160186.tif 000014
【図１３】
2011160186.tif 000015
【図１４】
2011160186.tif 000016
【図１５】
2011160186.tif 000017
【図１８】
2011160186.tif 000018
【図１９】
2011160186.tif 000019
【図２０】
2011160186.tif 000020
【図２１】
2011160186.tif 000021
【図２２】
2011160186.tif 000022
【図２３】
2011160186.tif 000023
【図２４】
2011160186.tif 000024
【図２５】
2011160186.tif 000025
【図２６】
2011160186.tif 000026
【図１６】
2011160186.tif 000027
【図１７】
2011160186.tif 000028